(57)【要約】【課題】ケーブルの導電芯線のコネクタとの電気的接続が、導電芯線が撚り線とされているもとにあっても、当該導電芯線を撚りが崩されてばらけたものとされることなく極めて堅固かつ安定に行われることになるケーブル接続方法を提供する。【解決手段】  相互対向する交差部２６と傾斜部２７との両者に亙る部分にスリット２９を形成する一対の相互対向屈曲部３０が設けられた信号伝達コンタクト１６を設置し、ケーブル１４における導電芯線１５を被覆する中間絶縁体２０に環状溝部３１を形成してその環状溝部内に導電芯線を露出させ、環状溝部を一対の相互対向屈曲部に係合させたもとで、環状溝部内に露出する導電芯線をスリットに押し込み、ケーブルの中間絶縁体における環状溝部を形成する部分の一部を傾斜部によりケーブルの末端部から外部に突出する方向に移動させつつ導電芯線をスリットに圧接させて信号伝達コンタクトに接続する。【選択図】図９
2014229458.tif 000002
【特許請求の範囲】
【請求項１】
導電性帯状板材が屈曲されて形成され、所定の基準面内に配される基準面部，上記基準面に交差する方向に伸びる交差部及び上記基準面に対して傾斜して伸びて上記交差部に対向する傾斜部を、該傾斜部が上記交差部に対する屈曲部分として該交差部に連結され、上記交差部もしくは上記傾斜部が上記基準面部に連なるものとして有し、上記交差部と上記傾斜部との両者に亙る部分にスリットを形成する一対の相互対向屈曲部が設けられた信号伝達コンタクトを，ケーブルコネクタの絶縁ハウジングに設置し、
絶縁体により被覆された導電芯線を有したケーブルの端部における上記絶縁体に、上記導電芯線を包囲する環状溝部を形成して該環状溝部内に上記導電芯線を露出させる処理を施し、
上記ケーブルの絶縁体に形成された上記環状溝部を、上記一対の相互対向屈曲部を構成する上記交差部及び上記傾斜部の夫々の部分に係合させたもとで、上記環状溝部内において露出する上記導電芯線を上記一対の相互対向屈曲部が形成する上記スリットに押し込み、上記ケーブルの絶縁体における上記環状溝部を形成する部分の一部を上記傾斜部により上記ケーブルの末端部から外部に突出する方向に移動させつつ上記環状溝部内に露出していた導電芯線を上記スリットに圧接させて上記信号伝達コンタクトに電気的に接続すること、
を特徴とするケーブル接続方法。
【請求項２】
上記ケーブルの絶縁体に上記環状溝部を形成するにあたり、該環状溝部の溝幅を、上記信号伝達コンタクトにおける相互対向する上記交差部及び上記傾斜部についての、上記交差部と上記傾斜部との相互連結部の近傍の第１の部位における外面間隔より大で、かつ、上記相互連結部からの距離が上記第１の部位より大である第２の部位における外面間隔より小に選定することを特徴とする請求項１記載のケーブル接続方法。
【請求項３】
上記ケーブルコネクタの絶縁ハウジングに，該絶縁ハウジングを部分的に覆う導電性カバー部材と該導電性カバー部材を係止するカバー係止部が設けられた接地接続部材とを相互対向するものとして装着し、上記ケーブルにおける上記導電芯線の外側に配されたシールド導体を、上記接地接続部材のカバー係止部に電気的に接続することを特徴とする請求項１記載のケーブル接続方法。
【発明の詳細な説明】
【技術分野】
【０００１】
本願の特許請求の範囲に記載された発明は、導電芯線とそれを被覆する絶縁体とを備えて成るケーブルの導電芯線をケーブルコネクタに設けられた信号伝達コンタクトに接続された状態となすケーブル接続方法に関する。
【背景技術】
【０００２】
複数の電気部品，電気装置あるいは電子機器間における信号等の伝送を、導電芯線とそれを絶縁体を介して包囲する接地導体とが絶縁被覆されて成る同軸ケーブル等の、導電芯線とそれを被覆する絶縁体とを備えて成るケーブルを用いて行うべく、当該複数の電気部品，電気装置あるいは電子機器をケーブルを介して相互連結するにあたっては、ケーブルが電気的に接続されるケーブルコネクタが用いられることが多い。このようなケーブルコネクタは、ケーブルの導電芯線が接続される、導電材で形成される信号伝達コンタクトを備えたものとされる。
【０００３】
斯かるケーブルコネクタとして従来知られているものにあっては、それに対するケーブルの電気的接続が半田付け手法が用いられて行われるのが一般的であった。即ち、ケーブルコネクタにケーブルが電気的に接続されるにあたり、ケーブルの導電芯線がケーブルコネクタが備える導電性を有したコンタクトに半田付けされるのである。しかしながら、ケーブルの導電芯線がコンタクトに半田付けされる半田付け手法がとられる際には、特に、ケーブルが極細なものとされ、それに応じてコンタクトが極小なものとされる場合、導電芯線をコンタクトに半田付けする作業が、細心の注意が要される煩わしいものとなるという問題、さらには、使用する半田やフラックスの量の制御が難しく、半田付けに伴う熱がケーブルに伝わって熱による不都合が生じる等の問題があった。
【０００４】
それゆえ、上述のような半田付け手法に伴う問題を回避すべく、信号伝送用のケーブルを、半田付け手法を用いることなくケーブルコネクタに電気的接続がなされた状態とすべく、ケーブルコネクタに備えられてケーブルの導電芯線が接続される信号伝達コンタクトに所定の変形を生じさせるケーブル接続方法も従来提案されている（例えば、特許文献１あるいは特許文献２参照。）。
【０００５】
このような従来の提案に係るケーブル接続方法が実施されるもとにあっては、ケーブルとの接続がなされるケーブルコネクタにおいて、そのハウジング等の支持部に立設されるコンタクト（信号伝達コンタクト）が、先端部に一対の分岐部が形成されたものとされる。そして、ケーブルコネクタに対するケーブルの電気的接続がなされる際には、先ず、ケーブルの導電芯線が、それを被覆する絶縁体が部分的に剥ぎ取られて外部に露出するものとされて、コンタクトの先端部に形成された一対の分岐部によって挟まれる状態におかれる。次に、ケーブルの導電芯線を挟んだ一対の分岐部が、夫々に外力が加えられて、互いに近接し合う方向に変位する変形を生じるものとされる。それにより、斯かるコンタクトにおける一対の分岐部の変形が行われると、理想的には、ケーブルの導電芯線が、一対の分岐部によって堅固に挟持されて、コンタクトに電気的に接続されることになり、ケーブルのケーブルコネクタに対する電気的接続が、半田付け手法によることなく行われる。
【先行技術文献】
【特許文献】
【０００６】
【特許文献１】特開２００７−４８６９６号公報（段落００３２〜００４３，図１〜４）
【特許文献２】特開２００８−２６９８４０号公報（段落００３４〜００４６，図５〜１２）
【発明の概要】
【発明が解決しようとする課題】
【０００７】
上述の特許文献１あるいは特許文献２に開示されているような、ケーブルの導電芯線をコンタクトの先端部に形成された一対の分岐部によって挟まれる状態においた後、ケーブルの導電芯線を挟んだ一対の分岐部に、互いに近接し合う方向に変位する変形を生じさせて、ケーブルの導電芯線を挟持させることにより、ケーブルの導電芯線をコンタクトに接続するケーブル接続方法が実施される場合には、次のような不都合がある。
【０００８】
即ち、通常、ケーブルの導電芯線は多数の導電細線に撚りが掛けられて形成される撚り線とされるが、上述の特許文献１あるいは特許文献２に開示されているようなケーブル接続方法が実施される場合には、ケーブルの導電芯線が、コンタクトの先端部に形成された一対の分岐部によって挟持されるにあたり、その撚りが崩されてばらけてしまい、それにより、ケーブルの導電芯線のコンタクトとの電気的接続が、不安定で不確実なものとなってしまい、信頼性の低下を来すことになる虞がある。
【０００９】
また、特許文献１に開示されているようなケーブル接続方法が実施される場合には、ケーブルコネクタにおけるハウジング等の支持部に立設されるコンタクトが、板状部材の一端部によって構成され、その先端部に一対の分岐部が形成されたものとされる。そして、この板状部材の板厚を大とすることにはコンタクトの寸法に伴う限界があり、コンタクトを構成する板状部材の板厚は、比較的小とせざるを得ないものとされる。そのため、ケーブルの導電芯線を挟んだ一対の分岐部に、互いに近接し合う方向に変位する変形を生じさせるべく加えられる外力の作用方向が多少ずれただけでも、それに対してのコンタクトの強度が不足し、コンタクトが、支持部に対して適正に立設する状態から倒れた状態とされてしまい、一対の分岐部によるケーブルの導電芯線の挟持が適正になされなくなるという問題が生じる虞がある。
【００１０】
斯かる点に鑑み、本願の特許請求の範囲に記載された発明は、例えば、同軸ケーブル等とされる導電芯線とそれを被覆する絶縁体とを備えて成るケーブルを、導電性を有した信号伝達コンタクトを備えるケーブルコネクタに電気的に接続するにあたり、ケーブルコネクタにおける信号伝達コンタクトに対するケーブルの導電芯線の接続を、半田付け手法を用いることなく、比較的容易な作業によって適正かつ確実に行なうことができ、しかも、導電芯線が撚り線とされているもとにあっても、当該導電芯線を、その撚りが崩されてばらけたものとされることなく、信号伝達コンタクトとの電気的接続が極めて堅固かつ安定に行われるとともに、信号伝達コンタクトによって適正に保持される状態におくことができるケーブル接続方法を提供する。
【課題を解決するための手段】
【００１１】
本願の特許請求の範囲における請求項１から請求項３までのいずれかに記載された発明に係るケーブル接続方法（以下、本発明に係るケーブル接続方法という。）は、導電性帯状板材が屈曲されて形成され、所定の基準面内に配される基準面部，基準面に交差する方向に伸びる交差部及び基準面に対して傾斜して伸びて交差部に対向する傾斜部を、傾斜部が交差部に対する屈曲部分として交差部に連結され、交差部もしくは傾斜部が基準面部に連なるものとして有し、交差部と傾斜部との両者に亙る部分にスリットを形成する一対の相互対向屈曲部が設けられた信号伝達コンタクトを、ケーブルコネクタの絶縁ハウジングに設置し、絶縁体により被覆された導電芯線を有したケーブルの端部における絶縁体に、導電芯線を包囲する環状溝部を形成してその環状溝部内に導電芯線を露出させる処理を施し、ケーブルの絶縁体に形成された環状溝部を、一対の相互対向屈曲部を構成する交差部及び傾斜部の夫々の部分に係合させたもとで、環状溝部内において露出する導電芯線を一対の相互対向屈曲部が形成するスリットに押し込み、ケーブルの絶縁体における環状溝部を形成する部分の一部を傾斜部によりケーブルの末端部から外部に突出する方向に移動させつつ環状溝部内に露出していた導電芯線をスリットに圧接させて信号伝達コンタクトに電気的に接続すること、を特徴とするものとされる。
【００１２】
上述の本発明に係るケーブル接続方法の実施にあたっては、導電性帯状板材が屈曲されて形成され、所定の基準面内に配される基準面部，基準面に交差する方向に伸びる交差部及び基準面に対して傾斜して伸びて交差部に対向する傾斜部を、傾斜部が交差部に対する屈曲部分として交差部に連結され、交差部もしくは傾斜部が基準面部に連なるものとして有し、交差部と傾斜部との両者に亙る部分にスリットを形成する一対の相互対向屈曲部が設けられた信号伝達コンタクトを、ケーブルコネクタの絶縁ハウジングに設置するとともに、絶縁体により被覆された導電芯線を有したケーブルの端部における絶縁体に、導電芯線を包囲する環状溝部を形成してその環状溝部内に導電芯線を露出させる処理を施す。その際、ケーブルの絶縁体に環状溝部を形成するときには、例えば、環状溝部の溝幅を、信号伝達コンタクトにおける相互対向する交差部及び傾斜部についての、交差部と傾斜部との相互連結部の近傍の第１の部位における外面間隔より大で、かつ、相互連結部からの距離が第１の部位より大である第２の部位における外面間隔より小に選定する。
【００１３】
続いて、ケーブルの絶縁体に形成された環状溝部を、信号伝達コンタクトにおける一対の相互対向屈曲部を構成する交差部及び傾斜部の夫々の部分に係合させたもとで、環状溝部内において露出する導電芯線を一対の相互対向屈曲部が形成するスリットに押し込み、それにより、ケーブルの絶縁体における環状溝部を形成する部分の一部を信号伝達コンタクトにおける傾斜部によりケーブルの末端部から外部に突出する方向に移動させつつ、導電芯線をスリットに圧接させて信号伝達コンタクトに電気的に接続する。
【発明の効果】
【００１４】
このような本発明に係るケーブル接続方法が、例えば、同軸ケーブル等とされる導電芯線とそれを被覆する絶縁体とを備えて成るケーブルをケーブルコネクタに電気的に接続するにあたって実施されるもとにあっては、その端部において、導電芯線を被覆する絶縁体に導電芯線を包囲する環状溝部が形成され、その環状溝部内に導電芯線を露出させる処理が施されたケーブルが、その絶縁体に形成された環状溝部が、ケーブルコネクタの絶縁ハウジングに設置された信号伝達コンタクトにおける一対の相互対向屈曲部を構成する交差部及び傾斜部の夫々の部分に係合せしめられるとともに、環状溝部内において露出する導電芯線が、信号伝達コンタクトにおける一対の相互対向屈曲部が形成するスリットに押し込まれ、それにより、ケーブルの絶縁体における環状溝部を形成する部分の一部が信号伝達コンタクトにおける傾斜部によりケーブルの末端部から外部に突出する方向に移動せしめられつつ、導電芯線がスリットに圧接せしめられて信号伝達コンタクトに電気的に接続される状態におかれる。
【００１５】
その際、ケーブルにおける環状溝部の溝幅を、信号伝達コンタクトにおける相互対向する交差部及び傾斜部についての、交差部と傾斜部との相互連結部の近傍の第１の部位における外面間隔より大で、かつ、相互連結部からの距離が第１の部位より大である第２の部位における外面間隔より小に選定したもとにあっては、その環状溝部が信号伝達コンタクトにおける一対の相互対向屈曲部を構成する交差部及び傾斜部の夫々の部分に係合せしめられるとともに、環状溝部内において露出する導電芯線が信号伝達コンタクトにおける一対の相互対向屈曲部が形成するスリットに押し込まれるにあたり、環状溝部の交差部及び傾斜部の夫々の部分に対する位置についての格別な調整が要されることなく、ケーブルの絶縁体における環状溝部を形成する部分の一部が信号伝達コンタクトにおける傾斜部によりケーブルの末端部から外部に突出する方向に移動せしめられる状態が得られることになる。
【００１６】
このようにして、ケーブルにおける環状溝部内において露出する導電芯線が、信号伝達コンタクトにおける一対の相互対向屈曲部が形成するスリットに押し込まれてそれに圧接せしめられる際に、その導電芯線を被覆する絶縁体の一部が、信号伝達コンタクトにおける傾斜部によりケーブルの末端部から外部に突出する方向に移動せしめられるので、導電芯線が撚り線とされているもとにあっても、スリットに押し込まれてそれに圧接せしめられる導電芯線が、その撚りが崩されてばらけたものとされてしまうことが、ケーブルの末端部から外部に突出する方向に移動する絶縁体によって防止される状態におかれる。その結果、ケーブルの導電芯線が、その撚りが崩されてばらけたものとされることなく、信号伝達コンタクトとの電気的接続が極めて堅固かつ安定に行われるものとされる。
【００１７】
さらに、信号伝達コンタクトが、基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するものとされていることにより、交差部と傾斜部との両者に亙る部分に設けられた一対の相互対向屈曲部に不所望な変位あるいは変形が容易に生じてしまう事態が回避されるので、一対の相互対向屈曲部が形成するスリットに押し込まれてそれに圧接されるケーブルの導電芯線が、一対の相互対向屈曲部によって適正に保持される。
【００１８】
従って、本発明に係るケーブル接続方法によれば、例えば、同軸ケーブル等とされる導電芯線とそれを被覆する絶縁体とを備えて成るケーブルを、導電性を有した信号伝達コンタクトを備えるケーブルコネクタに電気的に接続するにあたり、ケーブルコネクタにおける信号伝達コンタクトに対するケーブルの導電芯線の接続を、半田付け手法を用いることなく、比較的容易な作業によって適正かつ確実に行なうことができ、しかも、導電芯線が撚り線とされているもとにあっても、当該導電芯線を、その撚りが崩されてばらけたものとされることなく、信号伝達コンタクトとの電気的接続が極めて堅固かつ安定に行われるとともに、信号伝達コンタクトによって適正に保持される状態におくことができる。
【図面の簡単な説明】
【００１９】
【図１】本発明に係るケーブル接続方法の一例が実施されたケーブルコネクタ及び複数のケーブルを示す斜視図である。
【図２】本発明に係るケーブル接続方法の一例が実施されたケーブルコネクタ及び複数のケーブルを示す正面図である。
【図３】本発明に係るケーブル接続方法の一例が実施されたケーブルコネクタ及び複数のケーブルを示す平面図である。
【図４】図１〜図３の夫々に示されるケーブルコネクタに備えられる信号伝達コンタクトを示す斜視図である。
【図５】本発明に係るケーブル接続方法の一例の実施に供されるケーブルコネクタ及び複数のケーブルを、ケーブルコネクタがそれからカバー部材が分離されたものとされた状態をもって示す斜視図である。
【図６】本発明に係るケーブル接続方法の一例の実施に供されるケーブルコネクタ及びケーブルについての、ケーブルコネクタにおける信号伝達コネクタの部分とケーブルに形成された環状溝部の溝幅との寸法関係の説明に供される部分断面図である。
【図７】本発明に係るケーブル接続方法の一例によるケーブル接続過程の説明に供される部分側面図である。
【図８】本発明に係るケーブル接続方法の一例によるケーブル接続過程の説明に供される部分側面図である。
【図９】本発明に係るケーブル接続方法の一例によるケーブル接続過程の説明に供される部分側面図である。
【図１０】本発明に係るケーブル接続方法の一例の実施に供されるケーブルコネクタ及びケーブルについての、ケーブルコネクタにおけるハウジングにケーブルが装着された状態を示す斜視図である。
【図１１】本発明に係るケーブル接続方法の一例の実施に供されるケーブルコネクタ及びケーブルについての、ケーブルコネクタにおけるハウジングにケーブルが装着された状態を示す平面図である。
【発明を実施するための形態】
【００２０】
本発明を実施するための形態は、以下に述べられる本発明についての実施例をもって説明される。
【実施例】
【００２１】
図１（斜視図），図２（正面図）及び図３（平面図）は、本発明に係るケーブル接続方法の一例が実施されたケーブルコネクタと複数のケーブルとを示す。
【００２２】
図１〜図３においては、ケーブルコネクタ１０に複数のケーブル１４が本発明に係るケーブル接続方法の一例が実施されて接続されたものとされている。ケーブルコネクタ１０は、絶縁材で形成されたハウジングである絶縁ハウジング１１を有しており、絶縁ハウジング１１には、絶縁ハウジング１１を部分的に覆って、絶縁ハウジング１１の一部分の内部を塞ぐ導電性カバー部材１２が装着されている。導電性カバー部材１２には、透孔１３が形成されており、その透孔１３を通じて、絶縁ハウジング１１に設けられて複数のケーブル１４の導電芯線１５が夫々接続された複数の信号伝達コンタクト１６の一部が覗かれている。
【００２３】
また、絶縁ハウジング１１には、導電性カバー部材１２を係止する複数のカバー係止部１７が設けられた接地接続部材１８が、絶縁ハウジング１１の一部分を挟んで導電性カバー部材１２に対向するものとして装着されている。接地接続部材１８に設けられた複数のカバー係止部１７の夫々は、接地接続部材１８から立ち上がって絶縁ハウジング１１の一部分を貫通して導電性カバー部材１２側へと伸びており、その先端部１７ａが、導電性カバー部材１２に形成された複数の透孔１９のうちの対応するものを貫通して、導電性カバー部材１２の外部にまで達している。カバー係止部１７の先端部１７ａは、導電性カバー部材１２との係合部を形成しており、導電性カバー部材１２における透孔１９の周囲部分に係合して導電性カバー部材１２を係止している。
【００２４】
複数のケーブル１４は、絶縁ハウジング１１の長手方向に沿って互いに平行に配列配置されており、全体として板状体を成すケーブル群を形成している。複数のケーブル１４の夫々は、導電芯線１５とそれを被覆する中間絶縁体２０と中間絶縁体２０を包囲するシールド導体２１との全体が外周絶縁体２２により被覆されて成る同軸ケーブルとされている。
【００２５】
絶縁ハウジング１１には、その内部に、複数の信号伝達コンタクト１６が、複数のケーブル１４の配列方向とされる絶縁ハウジング１１の長手方向に沿って配列配置されて装着されている。複数の信号伝達コンタクト１６の夫々の一例は、図４に示されるように、例えば、燐青銅製の導電性帯状板材が屈曲されて形成され、仮想の基準面２４内に配される基準面部２５，基準面部２５に対して、例えば、実質的に直交するものとなるように、基準面２４に交差する方向に伸びる交差部２６、及び、基準面２４に対して傾斜して伸びて交差部２６に対向する傾斜部２７を有している。基準面部２５，交差部２６及び傾斜部２７は、傾斜部２７が、基準面部２５に対する屈曲部分として基準面部２５に連なるとともに、交差部２６に対する屈曲部分として交差部２６に連結されているという関係のもとにおかれている。そして、交差部２６と傾斜部２７とは、両者に共通の相互連結部２８を、基準面２４から突出する方向に屈曲したものとして有している。なお、傾斜部２７が基準面部２５に対する屈曲部分として基準面部２５に連なる構成に代えて、傾斜部２７は基準面部２５から切り離され、交差部２６が基準面部２５に対する屈曲部分として基準面部２５に連なるものとされる構成がとられてもよい。
【００２６】
このような信号伝達コンタクト１６においては、基準面部２５の一端部が接続端子部２５ａを形成しており、また、相互連結部２８を含んだ交差部２６と傾斜部２７との両者に亙る部分に、ケーブル１４の導電芯線１５が押し込まれるスリット２９を形成する一対の相互対向屈曲部３０が設けられている。スリット２９の中央部分は、相互連結部２８において開口する開口部を成しており、斯かる開口部は、一対の相互対向屈曲部３０の夫々の頂点側に向けて広がっていて、ケーブル１４の導電芯線１５のスリット２９への押込みを容易にしている。また、スリット２９の両端部の夫々は拡幅部分を成していて、スリット２９に押し込まれたケーブル１４の導電芯線１５を収容して保持する役割を果たす。
【００２７】
図３に示されるように、複数の信号伝達コンタクト１６の夫々における基準面部２５の一端部が形成する接続端子部２５ａは、絶縁ハウジング１１内から絶縁ハウジング１１の外部へと導出されている。また、複数の信号伝達コンタクト１６の夫々におけるスリット２９を形成する一対の相互対向屈曲部３０は、導電性カバー部材１２に形成された透孔１３に対応する位置において、絶縁ハウジング１１の長手方向に沿って配列配置されており、透孔１３を通じて導電性カバー部材１２の外部に臨んでいる。
【００２８】
上述のようにケーブルコネクタ１０に複数のケーブル１４が接続された状態を、本発明に係るケーブル接続方法の一例を実施して得るにあたっては、先ず、ケーブルコネクタ１０及び複数のケーブル１４をケーブルコネクタ１０がそれから導電性カバー部材１２が分離されたものとされた状態をもって示す図５に示されるように、ケーブルコネクタ１０の絶縁ハウジング１１に、複数の信号伝達コンタクト１６を、絶縁ハウジング１１の長手方向に沿って配列配置して装着するとともに、接地接続部材１８をそれに設けられた複数のカバー係止部１７が絶縁ハウジング１１を貫通して絶縁ハウジング１１の長手方向に沿って配列配置されるように装着する。それにより、複数の信号伝達コンタクト１６が夫々有する一対の相互対向屈曲部３０についての複数組が、配列配置された複数のカバー係止部１７と平行となるように、かつ、複数のカバー係止部１７との間に所定の間隔をおいて配列配置されたものとされる。
【００２９】
それとともに、複数のケーブル１４の夫々に対して、図５に示されるように、その一端部において、導電芯線１５を被覆する中間絶縁体２０に、導電芯線１５を包囲する環状溝部３１を形成して、その環状溝部３１内に導電芯線１５を露出させる処理、さらには、シールド導体２１を被覆する外周絶縁体２２に、シールド導体２１を包囲する環状溝部３２を形成して、その環状溝部３２内にシールド導体２１を露出させる処理を施す。その際、各ケーブル１４における中間絶縁体２０に形成する環状溝部３１と外周絶縁体２２に形成する環状溝部３２とについての間隔を、ケーブルコネクタ１０の絶縁ハウジング１１における、複数の信号伝達コンタクト１６が夫々有する一対の相互対向屈曲部３０の複数組の配列と複数のカバー係止部１７の配列とについての間隔に相当するものに選定する。
【００３０】
また、ケーブル１４における導電芯線１５を被覆する中間絶縁体２０に環状溝部３１を形成するにあたっては、例えば、図６に示されるように、環状溝部３１の溝幅ｗを、当該ケーブル１４に対応するケーブルコネクタ１０の信号伝達コンタクト１６における相互対向する交差部２６及び傾斜部２７についての、相互連結部２８の近傍の第１の部位Ｐ１における外面間隔ｄ１より大で、かつ、相互連結部２８からの距離が第１の部位Ｐ１より大である第２の部位Ｐ２における外面間隔ｄ２より小に選定する。
【００３１】
次に、導電芯線１５を被覆する中間絶縁体２０に環状溝部３１が形成され、さらに、シールド導体２１を被覆する外周絶縁体２２に環状溝部３２が形成された、複数のケーブル１４の夫々を、図７に示されるように、ケーブルコネクタ１０における当該ケーブル１４に対応する信号伝達コンタクト１６及び接地接続部材１８に設けられたカバー係止部１７に対向する位置に配置する。その際、ケーブル１４における環状溝部３１に信号伝達コンタクト１６における一対の相互対向屈曲部３０に対応する位置をとらせるとともに、ケーブル１４における環状溝部３２に接地接続部材１８に設けられたカバー係止部１７に対応する位置をとらせる。
【００３２】
続いて、信号伝達コンタクト１６及びカバー係止部１７に対向したケーブル１４を、信号伝達コンタクト１６及びカバー係止部１７に向かう方向に移動させ、図８に示されるように、ケーブル１４の中間絶縁体２０に形成された環状溝部３１を、信号伝達コンタクト１６における一対の相互対向屈曲部３０を構成する交差部２６及び傾斜部１７の夫々の部分に係合させたもとで、環状溝部３１内において露出する導電芯線１５を一対の相互対向屈曲部３０が形成するスリット２９に押し込むとともに、ケーブル１４の外周絶縁体２２に形成された環状溝部３２を、接地接続部材１８に設けられたカバー係止部１７に係合させて、環状溝部３２内において露出するシールド導体２１をカバー係止部１７に押圧接触させる。
【００３３】
このようにして、ケーブル１４の中間絶縁体２０に形成した環状溝部３１を、信号伝達コンタクト１６における一対の相互対向屈曲部３０を構成する交差部２６及び傾斜部２７の夫々の部分に係合させたもとで、環状溝部３１内において露出する導電芯線１５を一対の相互対向屈曲部３０が形成するスリット２９に押し込む際には、ケーブル１４における環状溝部３１の溝幅ｗが、信号伝達コンタクト１６における相互対向する交差部２６及び傾斜部２７についての、相互連結部２８の近傍の第１の部位Ｐ１における外面間隔ｄ１より大で、かつ、相互連結部２８からの距離が第１の部位Ｐ１より大である第２の部位Ｐ２における外面間隔ｄ２より小に選定されている場合には、図８に示されるように、環状溝部３１が相互対向する交差部２６及び傾斜部２７についての第１の部位Ｐ１の位置を第２の部位Ｐ２に向かって越えた後に、ケーブル１４の中間絶縁体２０における環状溝部３１を形成する部分の一部であるケーブル１４の末端部（以下、ケーブル末端部という。）側の部分を、傾斜部２７によって導電芯線１５の末端部から外部に突出する方向に移動させることになる。
【００３４】
なお、ケーブル１４の中間絶縁体２０に形成された環状溝部３１の溝幅ｗが、信号伝達コンタクト１６における相互対向する交差部２６及び傾斜部２７についての、相互連結部２８の近傍の第１の部位Ｐ１における外面間隔ｄ１より大で、かつ、相互連結部２８からの距離が第１の部位Ｐ１より大である第２の部位Ｐ２における外面間隔ｄ２より小に選定されていず、相互対向する交差部２６及び傾斜部２７についての第１の部位Ｐ１における外面間隔ｄ１及び第２の部位Ｐ２における外面間隔ｄ２の夫々より大とされている場合であっても、ケーブル１４における環状溝部３１を信号伝達コンタクト１６における一対の相互対向屈曲部３０を構成する交差部２６及び傾斜部２７の夫々の部分に係合させるにあたり、ケーブル１４における環状溝部３１のケーブル１４の末端部側の端縁を信号伝達コンタクト１６における傾斜部２７に当接させることにより、ケーブル１４の中間絶縁体２０における環状溝部３１を形成する部分の一部であるケーブル末端部側の部分を、傾斜部２７によって導電芯線１５の末端部から外部に突出する方向に移動させることができる。
【００３５】
その後、ケーブル１４を更に信号伝達コンタクト１６及びカバー係止部１７に向かう方向に移動させ、ケーブル１４の中間絶縁体２０における環状溝部３１を形成するケーブル末端部側の部分を導電芯線１５の末端部から外部に突出する方向に移動させつつ、環状溝部３１内において露出していた導電芯線１５を一対の相互対向屈曲部３０が形成するスリット２９に圧接させて、図９に示されるように、ケーブル１４の導電芯線１５を信号伝達コンタクト１６に電気的に接続する。また、それとともに、ケーブル１４のシールド導体２１をそれが押圧接触するカバー係止部１７に電気的に接続する。
【００３６】
その結果、図１０及び図１１に示されるように、複数のケーブル１４が、各々の導電芯線１５がケーブルコネクタ１０の絶縁ハウジング１１における複数の信号伝達コンタクト１６のうちの対応するものに電気的に接続されるとともに、各々のシールド導体２１がケーブルコネクタ１０のカバー係止部１７に電気的に接続された状態をもって、ケーブルコネクタ１０の絶縁ハウジング１１に装着された状態が得られる。
【００３７】
上述のようにして、ケーブル１４の中間絶縁体２０における環状溝部３１を形成するケーブル末端部側の部分を導電芯線１５の末端部から外部に突出する方向に移動させつつ、環状溝部３１内において露出していた導電芯線１５を、信号伝達コンタクト１６における一対の相互対向屈曲部３０が形成するスリット２９に押し込んでそれに圧接させ、信号伝達コンタクト１６に電気的に接続することにより、ケーブル１４の導電芯線１５が撚り線とされているもとにあっても、スリット２９に押し込まれてそれに圧接せしめられる導電芯線１５が、その撚りが崩されてばらけたものとされてしまうことが、ケーブル末端部から外部に突出する方向に移動する中間絶縁体２０の部分によって防止される状態におかれる。その結果、ケーブル１４の導電芯線１５が、その撚りが崩されてばらけたものとされることなく、信号伝達コンタクト６との電気的接続が極めて堅固かつ安定に行われるものとされる。
【００３８】
また、ケーブル１４の中間絶縁体２０における環状溝部３１を形成するケーブル末端部側の部分が導電芯線１５の末端部から外部に突出する方向に移動せしめられることにより、ケーブル１４の中間絶縁体２０により被覆された導電芯線１５の端面部１５ａが、中間絶縁体２０内に潜り込むものとされて絶縁性が高められ、外部の導電体や導電部分に不所望に接触することになる事態が防止される。
【００３９】
そして、複数のケーブル１４をケーブルコネクタ１０の絶縁ハウジング１１に装着した後、図５に示される導電性カバー部材１２を、それに設けられた一対の取付係合部１２ａを絶縁ハウジング１１に設けられた一対の取付孔１１ａに係合させて、絶縁ハウジング１１に取り付ける。絶縁ハウジング１１に取り付けられた導電性カバー部材１２は、図１に示されるように、それに設けられた複数の透孔１９の夫々を絶縁ハウジング１１に配列配置された複数のカバー係止部１７のうちの対応するものが貫通し、複数のカバー係止部１７の夫々の先端部１７ａが、複数の透孔１９の夫々の周囲部分に係合して導電性カバー部材１２を係止する状態におかれ、それに設けられた透孔１３を通じて、絶縁ハウジング１１に配列配置された複数の信号伝達コンタクト１６の夫々の一対の相互対向屈曲部３０が覗かれるもとで、各々が信号伝達コンタクト１６とカバー係止部１７とに接続された複数のケーブル１４の端部を覆うものとされる。また、導電性カバー部材１２における、透孔１３を複数のケーブル１４の配列方向に直交する方向において挟む部分及び複数の透孔１９の配列を複数のケーブル１４の配列方向に直交する方向において挟む部分が、複数のケーブル１４の夫々の、端部の中間絶縁体２０及び外周絶縁体２２における一対の相互対向屈曲部３０及びカバー係止部１７の近傍部分に当接して、複数のケーブル１４の夫々を絶縁ハウジング１１に対して押さえ付ける。それにより、複数のケーブル１４がケーブルコネクタ１０の絶縁ハウジング１１に装着された状態が、安定に維持される。
【００４０】
上述のようにして、本発明に係るケーブル接続方法の一例が、同軸ケーブルとされたケーブル１４をケーブルコネクタ１０に電気的に接続するにあたって実施されるもとにあっては、その端部において、導電芯線１５を被覆する中間絶縁体２０に導電芯線１５を包囲する環状溝部３１が形成され、その環状溝部３１内に導電芯線１５を露出させる処理が施されたケーブル１４が、その環状溝部３１が、ケーブルコネクタ１０の絶縁ハウジング１１に設置された信号伝達コンタクト１６における一対の相互対向屈曲部３０を構成する交差部２６及び傾斜部２７の夫々の部分に係合せしめられるとともに、環状溝部３１内において露出する導電芯線１５が、信号伝達コンタクト１６における一対の相互対向屈曲部３０が形成するスリット２９に押し込まれ、それにより、ケーブル１４における環状溝部３１を形成する部分の一部が信号伝達コンタクト１６における傾斜部２７によりケーブル１４の末端部から外部に突出する方向に移動せしめられつつ、導電芯線１５がスリット２９に圧接せしめられて信号伝達コンタクト１６に電気的に接続される状態におかれる。
【００４１】
その際、ケーブル１４における環状溝部３１の溝幅ｗを、信号伝達コンタクト１６における相互対向する交差部２６及び傾斜部２７についての、交差部２６と傾斜部２７との相互連結部２８の近傍の第１の部位Ｐ１における外面間隔ｄ１より大で、かつ、相互連結部２８からの距離が第１の部位Ｐ１より大である第２の部位Ｐ２における外面間隔ｄ２より小に選定したもとにあっては、その環状溝部３１が信号伝達コンタクト１６における一対の相互対向屈曲部３０を構成する交差部２６及び傾斜部２７の夫々の部分に係合せしめられるとともに、環状溝部３１内において露出する導電芯線１５が信号伝達コンタクト１６における一対の相互対向屈曲部３０が形成するスリット２９に押し込まれるにあたり、環状溝部３１の交差部２６及び傾斜部２７の夫々の部分に対する位置についての格別な調整が要されることなく、ケーブル１４の中間絶縁体２０における環状溝部３１を形成する部分の一部が信号伝達コンタクト１６における傾斜部２７によりケーブル末端部から外部に突出する方向に移動せしめられる状態が得られることになる。
【００４２】
このようにして、ケーブル１４における環状溝部３１内において露出する導電芯線１５が、信号伝達コンタクト１６における一対の相互対向屈曲部３０が形成するスリット２９に押し込まれてそれに圧接せしめられる際に、その導電芯線１５を被覆する中間絶縁体２０の一部が、信号伝達コンタクト１６における傾斜部２７によりケーブル末端部から外部に突出する方向に移動せしめられるので、導電芯線１５が撚り線とされているもとにあっても、スリット２９に押し込まれてそれに圧接せしめられる導電芯線１５が、その撚りが崩されてばらけたものとされてしまうことが、ケーブル末端部から外部に突出する方向に移動する中間絶縁体２０の部分によって防止される状態におかれる。その結果、ケーブル１４の導電芯線１５が、その撚りが崩されてばらけたものとされることなく、信号伝達コンタクト１６との電気的接続が極めて堅固かつ安定に行われるものとされる。
【００４３】
さらに、信号伝達コンタクト１６が、基準面２４内に配される基準面部２５，基準面２４に交差する方向に伸びる交差部２６及び基準面２４に対して傾斜して伸びる傾斜部２７を、傾斜部２７が交差部２６に対する屈曲部分として交差部２６に連なり、傾斜部２７が基準面部２５に連なるものとして有するものとされていることにより、交差部２６と傾斜部２７との両者に亙る部分に設けられた一対の相互対向屈曲部３０に不所望な変位あるいは変形が容易に生じてしまう事態が回避されるので、一対の相互対向屈曲部３０が形成するスリット２９に押し込まれてそれに圧接されるケーブル１４の導電芯線１５が、一対の相互対向屈曲部３０によって適正に保持される。
【００４４】
従って、本発明に係るケーブル接続方法の一例によれば、同軸ケーブルとされるケーブル１４を、信号伝達コンタクト１６を備えるケーブルコネクタ１０に電気的に接続するにあたり、ケーブルコネクタ１０における信号伝達コンタクト１６に対するケーブル１４の導電芯線１５の接続を、半田付け手法を用いることなく、比較的容易な作業によって適正かつ確実に行なうことができ、しかも、導電芯線１５が撚り線とされているもとにあっても、当該導電芯線１５を、その撚りが崩されてばらけたものとされることなく、信号伝達コンタクト１６との電気的接続が極めて堅固かつ安定に行われるとともに、信号伝達コンタクト１６によって適正に保持される状態におくことができる。
【産業上の利用可能性】
【００４５】
以上のような本発明に係るケーブル接続方法は、ケーブルコネクタにおける信号伝達コンタクトに対するケーブルの導電芯線の接続を、半田付け手法を用いることなく、比較的容易な作業によって適正かつ確実に行なうことができ、しかも、導電芯線が撚り線とされているもとにあっても、当該導電芯線を、その撚りが崩されてばらけたものとされることなく、信号伝達コンタクトとの電気的接続が極めて堅固かつ安定に行われるとともに、信号伝達コンタクトによって適正に保持される状態におくことができるものとして、各種のコネクタ装置あるいは電子機器の製造等に広く適用され得るものである。
【符号の説明】
【００４６】
１０・・・ケ−ブルコネクタ，  １１・・・絶縁ハウジング，  １２・・・導電性カバー部材，  １３，１９・・・透孔，  １４・・・ケーブル，  １５・・・導電芯線，  １６・・・信号伝達コンタクト，  １７・・・カバー係止部，  １８・・・接地接続部材，  ２０・・・中間絶縁体，  ２１・・・シールド導体，  ２２・・・外周絶縁体，  ２５・・・基準面部，  ２５ａ・・・接続端子部，  ２６・・・交差部，  ２７・・・傾斜部，  ２８・・・相互連結部，  ２９・・・スリット，  ３０・・・相互対向屈曲部，  ３１，３２・・・環状溝部
【図１】
2014229458.tif 000003
【図２】
2014229458.tif 000004
【図３】
2014229458.tif 000005
【図４】
2014229458.tif 000006
【図５】
2014229458.tif 000007
【図６】
2014229458.tif 000008
【図７】
2014229458.tif 000009
【図８】
2014229458.tif 000010
【図９】
2014229458.tif 000011
【図１０】
2014229458.tif 000012
【図１１】
2014229458.tif 000013